(57)【要約】【課題】  オーディオ機器の音質に悪影響を及ぼすことがなく、極めて自然な音響を実現することができ、しかも、オーディオ機器の音響に明瞭で生き生きとした音質感を付与することも可能なオーディオ用インシュレーターを提供すること。【解決手段】  硬質材料から成る収容容器１に多数の玉砂利２・２…を充填すると共に、前記収容容器１内の玉砂利２上部には、オーディオ機器Ａを載置可能な上面を備えた硬質材料から成る載置台３を配置して構成した。【選択図】  図１
0003130571.tif 000002
【実用新案登録請求の範囲】
【請求項１】
硬質材料から成る収容容器１に多数の玉砂利２・２…を充填すると共に、前記収容容器１内の玉砂利２上部には、オーディオ機器Ａを載置可能な上面31を備えた硬質材料から成る載置台３を配置して構成したことを特徴とするオーディオ用インシュレーター。
【請求項２】
収容容器１の底部に設けた差込部11から上方に向けて挿入したボルト材Ｂを、載置台３下部の止着部32に螺着して載置板３が収容容器１に固定されていることを特徴とする請求項１記載のオーディオ用インシュレーター。
【請求項３】
収容容器１に充填する玉砂利２・２…に直径1.0〜3.0cmの五色石を使用したことを特徴とする請求項１または２に記載のオーディオ用インシュレーター。
【請求項４】
収容容器１及び載置台３の何れか一方又は両方に、表面がショットピーニング加工により高硬質化された金属材料を使用したことを特徴とする請求項１〜３の何れか一つに記載のオーディオ用インシュレーター。
【請求項５】
収容容器１及び載置台３が非磁性体材料から作製されていることを特徴とする請求項１〜４の何れか一つに記載のオーディオ用インシュレーター。
【考案の詳細な説明】
【技術分野】
【０００１】
本考案は、オーディオ用インシュレーターの改良、詳しくは、音質に悪影響を及ぼすことなく極めて自然な音響を実現することができ、しかも、音響に明瞭で生き生きとした音質感を付与することも可能なオーディオ用インシュレーターに関するものである。
【背景技術】
【０００２】
周知のとおり、オーディオ機器を設置する際には、作動時における自励振動やスピーカー等からの強制振動によるオーディオ機器の機械的振動が、音響の歪みやノイズの誘因となって悪影響を及ぼすため、オーディオ機器の制振を目的としたインシュレーターを台座に使用することが多い。
【０００３】
そして、従来においては、オーディオ用インシュレーターとしてゴム材料の物性を利用してオーディオ機器の制振効果を狙ったものが公知となっている（例えば、特許文献１参照）。
【０００４】
しかしながら、上記従来のゴム製インシュレーターにおいては、ゴムの粘弾性による制振効果が強過ぎたことから、音響に生気を与える良好な振動成分までも一緒に消えてしまい、面白みのない平凡な音質になってしまうという欠点があった。
【０００５】
加えて、ゴム材料の柔軟性が、オーディオ機器の振動に対する衝撃の応答速度を鈍らせてしまったことから、明瞭度の高いはっきりとした音調が崩れてしまい、音質に濁りが生じて音の輪郭が曖昧になってしまうという不満もあった。
【０００６】
一方、従来においては、鉄成分と黒鉛成分の摩擦による振動吸収効果に優れた鋳鉄を用いて作製されたオーディオ用インシュレーターも公知となっている（例えば、特許文献２参照）。
【０００７】
ところが、上記従来の鋳鉄製インシュレーターは、衝撃レスポンスは良好であったものの、全体が一個体で構成されていたことから特定の固有振動数でオーディオ機器が振動した際に共振作用が生じてしまい、その共振作用によって増幅された振動がノイズとなって音響の質感を低下させていた。
【０００８】
また、従来においては、＜特許文献３＞にあるように、収容容器の内部に屈曲形状の金属片を多数充填し、充填した金属片の上部に載置板を配置して構成したオーディオ用インシュレーターも公知となっている。
【０００９】
しかしながら、上記従来のインシュレーターにおいては、金属片同士の摩擦を利用して振動を吸収する構造であったため、金属片同士が擦れ合う際に高周波の不快な摩擦音が生じ、その摩擦音が音質の悪化を引き起していた。
【００１０】
そしてまた、高い反発力を有するゴム材料や金属片をインシュレーターに用いた場合には、オーディオ機器に跳ね返ってくる振動も大きくなってしまい、満足できる制振効果を得ることができなかった。
【特許文献１】特開２００６−２２９２６８号公報（第２−６頁、第１−６図）
【特許文献２】特開昭５９−１０７０６１号公報（第２−３頁、第１図）
【特許文献３】特開２０００−２３２７２号公報（第２−４頁、第１−５図）
【考案の開示】
【考案が解決しようとする課題】
【００１１】
本考案は、この上記の問題に鑑みてなされたものであって、その目的とするところは、音質に悪影響を及ぼすことなく極めて自然な音響を実現することができ、しかも、音響に明瞭で生き生きとした音質感を付与することも可能なオーディオ用インシュレーターを提供することにある。
【課題を解決するための手段】
【００１２】
本考案者が、上記課題を解決するために採用した手段を添付図面を参照して説明すれば次のとおりである。
【００１３】
即ち、本考案は、硬質材料から成る収容容器１に多数の玉砂利２・２…を充填すると共に、前記収容容器１内の玉砂利２上部には、オーディオ機器Ａを載置可能な上面を備えた硬質材料から成る載置台３を配置して構成した点に特徴がある。
【００１４】
また、本考案においては、上記課題を解決するために、必要に応じて上記手段に加え、収容容器１の底部に設けた差込部11から上方に向けて挿入したボルト材を、載置台３下部の止着部32に螺着して載置板３を収容容器１に固定するという技術的手段を採用することができる。
【００１５】
また、本考案においては、上記課題を解決するために、必要に応じて上記手段に加え、収容容器１に充填する玉砂利２・２…に直径1.0〜3.0cmの五色石を使用するという技術的手段を採用することができる。
【００１６】
また、本考案においては、上記課題を解決するために、必要に応じて上記手段に加え、収容容器１及び載置台３の何れか一方又は両方に、表面がショットピーニング加工により高硬質化された金属材料を使用するという技術的手段を採用することができる。
【００１７】
また、本考案においては、上記課題を解決するために、必要に応じて上記手段に加え、収容容器１及び載置台３を非磁性体材料から作製するという技術的手段を採用することができる。
【考案の効果】
【００１８】
本考案においては、反発性を有しない多数の玉砂利を収容容器に充填すると共に、収容容器内の玉砂利上部に、オーディオ機器を載置可能な上面を備えた載置台を配置して構成したことにより、載置台から受けたオーディオ機器の振動を各玉砂利で分散し、更にその分散した振動エネルギーを玉砂利同士の摩擦で熱エネルギーに変換して吸収する優れた制振効果を有したオーディオ用インシュレーターを完成させた。
【００１９】
一方、玉砂利による制振効果はゴム材料ほど過剰に働くことはなく、音響に生気を与える良好な振動成分を残したまま音質に悪影響を及ぼす振動成分のみを排除することができるため、自然で生き生きとした音響を実現することができる。
【００２０】
また、玉砂利は勿論、収容容器及び載置台にも硬性材料を使用したことにより、オーディオ機器の振動に対する衝撃レスポンスも良好となるため、明瞭な音の輪郭が暈けてしまう心配もない。
【００２１】
更に、固有振動数が異なる多数の玉砂利によって振動を吸収しているため、オーディオ機器が特定の固有振動数で振動することによってインシュレーター全体が共振してしまうようなことはなく、共振作用を原因としたノイズの発生も防止できる。
【００２２】
そしてまた、玉砂利特有の摩擦音は比較的低周波で耳当たりも良いため、音響に違和感なく溶け込んで音質の低下を招くようなことはない。
【００２３】
したがって、本考案により、オーディオ機器の音質向上を図ることができる機能性が非常に高いオーディオ用インシュレーターを提供できることから、本考案の実用的利用価値は非常に高いと云える。
【考案を実施するための最良の形態】
【００２４】
『実施例１』
本考案の実施例１を具体的に図示した図１から図３に基いて更に詳細に説明すると次のとおりである。まず、図中において符号１で指示するものは、収容容器であり、符号２で指示するものは、玉砂利である。そして、符号３で指示するものは、載置台である。
【００２５】
次に、本実施例の構成を以下から説明する。まず、本実施例においては、硬質なステンレス材料で作製した収容容器１に多数の玉砂利２・２…を充填した（図１、図２参照）。
【００２６】
なお、玉砂利２・２…は直径1.0〜3.0cmの五色石を使用し、充填率が60％程度となるように収容容器１に充填している。
【００２７】
そして、収容容器１内の玉砂利２上部には、オーディオ機器Ａを載置可能な上面31を備えた硬質なステンレス材料から成る載置台３を配置して構成した。
【００２８】
上記のように構成したことによって、図３に示すように載置台３上にオーディオ機器Ａを設置すれば、オーディオ機器Ａの振動を各玉砂利で分散し、更にその分散した振動エネルギーを玉砂利２・２…同士の摩擦で熱エネルギーに変換して効果的に吸収することができる。
【００２９】
その一方で、玉砂利２・２…による制振効果はゴム材料のように過剰に働くことはないため、自然で生き生きとした生気のある音質を実現することも可能となる。
【００３０】
また、玉砂利２・２…は勿論、収容容器１及び載置台３にも硬性材料を使用したことにより、オーディオ機器Ａの振動に対する衝撃レスポンスも良好となるため、明瞭な音の輪郭が暈けてしまう心配もない。
【００３１】
なお、本実施例では収容容器１及び載置台３両方の表面を、サンドブラストによるショットピーニング加工により硬度を高めて衝撃応答性を更に向上しており、また、収容容器１及び載置台３には非磁性体のステンレス材を用いてオーディオ機器に電磁的な悪影響を及ぼさないように構成している。
【００３２】
そしてまた、本発明においては固有振動数が異なる多数の玉砂利２・２…を用いたことによって、特定の固有振動数でインシュレーター全体が共振してしまう現象を防止することができる。
【００３３】
特に、本実施例で使用した五色石は形状や大きさだけでなく、材質も各々異なるため、固有振動数が一定領域に集中してしまうこともなく、共振抑制効果が非常に良好である。
【００３４】
そして、玉砂利２・２…特有の摩擦音に関しては比較的低周波で耳当たりも良いため、音響に違和感なく溶け込んで音質の低下を招くようなことはない。
【００３５】
また、本実施例においては、収容容器１の底部に設けた差込部11から上向きに挿入したボルト材Ｂを、載置台３の下面に配設した止着部32に螺着し、載置板３を玉砂利２・２…に対して締め付けて収容容器１に固定した。
【００３６】
これにより、載置台３がオーディオ機器Ａの振動によって横方向にズレて収容容器１の内壁と接触することで、収容容器１に直接振動が伝わって玉砂利２・２…の振動吸収効果が阻害されたり、不快な衝撃音が発生したりする事態を回避することができる。
【００３７】
加えて、上記の載置台３の固定構造においては、載置台３を回転させることにより簡単に収容容器１に対して着脱することができるため、インシュレーターの分解・組立が容易となり、玉砂利２・２…の交換も簡単に行うことができ、更に、載置台３と収容容器１の内壁との距離を玉砂利２・２…の大きさよりも小さくしたことによって、載置台３が蓋の役割を果たして玉砂利２・２…が収容容器１からこぼれることもない。
【００３８】
また、本考案は、概ね上記のように構成されるが、図示の実施形態に限定されるものではなく、「実用新案登録請求の範囲」の記載内において種々の変更が可能であって、例えば、玉砂利２・２…には、一定の強度及び硬度を有し、かつ、各々の固有振動数が異なる鉱物であれば、五色石でなくとも水成岩、火成岩、変成岩の中から適宜選択すればよく、また、硬度が極めて高いダイヤモンドやコランダム等の宝石類を採用してもよく、更に、玉砂利２・２…は天然石に限らず人工石であってもよい。
【００３９】
また、収容容器１及び載置台３に関しても、一定の強度、及びステンレスと同等程度の硬度を有していれば、プラスチック材料やセラミック材料、木質材料を用いて作製してもよく、何れも本考案の技術的範囲に属する。
【産業上の利用可能性】
【００４０】
近年では、趣味の多様化と高級指向によって上質な音質を実現可能な音響設備を求めるオーディオファンが増加している。そして、繊細で鋭敏な聴覚を持つそれらのオーディオファンにとって、非常に微妙ではあるけれども音質の歪みやノイズの混入を生じてしまう既製のインシュレーターはとても満足できるものとはいえなかった。
【００４１】
そのような中で、本考案のオーディオ用インシュレーターは、極めて良質な音質を実現することができる極めて機能性に優れた制振器具であり、上記オーディオファンの要望に充分に応えることができることから、市場における需要は大きく、本考案の産業上の利用価値は非常に高いと云える。
【図面の簡単な説明】
【００４２】
【図１】本考案の実施例１におけるオーディオ用インシュレーターを表わす全体斜視図である。
【図２】本考案の実施例１におけるオーディオ用インシュレーターを表わす説明断面図である。
【図３】本考案の実施例１におけるオーディオ用インシュレーターの使用状態を表わす状態説明図である。
【符号の説明】
【００４３】
１  収容容器
11  差込部
２  玉砂利
３  載置台
31  上面
32  止着部
Ａ  オーディオ機器
Ｂ  ボルト材
【図１】
0003130571.tif 000003
【図２】
0003130571.tif 000004
【図３】
0003130571.tif 000005